(57)【要約】【課題】    意匠性に優れ、採光及び視界が良好なサンルーム等の組立建物を提供する。【解決手段】  骨組(２)のフレーム(３)(４)(５)…間に、透光性を有する傾斜屋根面材(10)(10)…と透光性を有する壁面材(11)(12)(13)…とが差し渡されてなる組立建物(１)において、前記屋根面材(10)(10)…の軒側端部と、その屋根面材(10)(10)…の軒側に位置する正面側壁面材(11)(11)…の上端部とを、桁等の横架材を介することなく互いに当接又は近接させる。【選択図】  図１
2006299589.tif 000002
【特許請求の範囲】
【請求項１】
骨組のフレーム間に、透光性を有する傾斜屋根面材と透光性を有する壁面材とが差し渡されてなる組立建物において、前記屋根面材の軒側端部と、その屋根面材の軒側に位置する正面側壁面材の上端部とが、桁等の横架材を介することなく互いに当接又は近接していることを特徴とする組立建物。
【請求項２】
前記屋根面材の軒側端部が、前記正面側壁面材の上端部に被さっている請求項１記載の組立建物。
【請求項３】
前記屋根面材を支持する複数の屋根傾斜面に沿った屋根フレームが互いに平行に配され、前記正面側壁面材を支持する複数の縦方向に沿った壁フレームが互いに平行に配されて、それら屋根フレームの軒側端部と壁フレームの上端部とが連結されるとともに、前記屋根フレームにおける建物内外方向の中間部間に屋根面材が差し渡され、前記壁フレームにおける建物内外方向の中間部間に正面側壁面材が差し渡されている請求項１又は２記載の組立建物。
【請求項４】
前記正面側壁面材の外側に、前記屋根面材から流れ落ちる雨水を受ける樋が着脱可能に設けられている請求項１乃至３のいずれかに記載の組立建物。
【請求項５】
前記樋は、雨水を受ける横方向の受け部と、その受け部に連結されて受け部からの雨水を下方に導く縦方向の導水部とを備え、前記受け部は、その中間部が両端部よりも上方に位置する湾曲状に形成されている請求項４記載の組立建物。
【発明の詳細な説明】
【技術分野】
【０００１】
この発明は、主として、住宅の外側に付属的に設けられるサンルーム等の組立建物に関する。
【背景技術】
【０００２】
住宅の外側に付属的に設けられるサンルームは、例えば特許文献１に記載されているように、透明又は半透明の屋根面材や壁面材を骨組に固定して構成されている。そして、屋根面材と正面側壁面材との突き合わせ部分には、それら屋根面材と正面側壁面材とを仕切るようにして、桁が設けられるのが一般的である。
【０００３】
【特許文献１】特開平９−４２５３号公報
【発明の開示】
【発明が解決しようとする課題】
【０００４】
従来のサンルームは、屋根面材と壁面材との間に桁が介在していて、ありきたりのデザインとなっていることが多く、意匠性に乏しかった。また、上記の桁によって、採光や視界が遮られてしまう欠点も有していた。さらに、屋根面材を流れ落ちる雨水を受ける樋が、桁に沿って設けられるが、このような樋についてもデザイン向上のための考慮は何らなされていなかった。
【０００５】
そこで、この発明は、上記のような不具合を解消して、意匠性に優れ、採光及び視界が良好な組立建物を提供することを目的とする。
【課題を解決するための手段】
【０００６】
上記の課題を解決するため、この発明の組立建物は、骨組のフレーム間に傾斜した屋根面材と壁面材とが差し渡されてなるものにおいて、前記屋根面材の軒側端部と、その屋根面材の軒側に位置する正面側壁面材の上端部とが、桁等の横架材を介することなく互いに当接又は近接していることを特徴とする。
【０００７】
また、前記屋根面材の軒側端部が、前記正面側壁面材の上端部に被さっている。
【０００８】
さらに、前記屋根面材を支持する複数の屋根傾斜面に沿った屋根フレームが互いに平行に配され、前記正面側壁面材を支持する複数の縦方向に沿った壁フレームが互いに平行に配されて、それら屋根フレームの軒側端部と壁フレームの上端部とが連結されるとともに、前記屋根フレームにおける建物内外方向の中間部間に屋根面材が差し渡され、前記壁フレームにおける建物内外方向の中間部間に正面側壁面材が差し渡されている。
【０００９】
さらにまた、前記正面側壁面材の外側に、前記屋根面材から流れ落ちる雨水を受ける樋が着脱可能に設けられている。
【００１０】
加えて、前記樋は、雨水を受ける横方向の受け部と、その受け部に連結されて受け部からの雨水を下方に導く縦方向の導水部とを備え、前記受け部は、その中間部が両端部よりも上方に位置する湾曲状に形成されている。
【発明の効果】
【００１１】
この発明の組立建物は、屋根面材の軒側端部と正面側壁面材の上端部とが、桁等の横架材を介することなく互いに当接又は近接しているため、屋根面材と壁面材とが、桁等で仕切られることなく連続するような斬新な外観とすることができ、組立建物全体の意匠性を向上させることができる。
【００１２】
しかも、屋根面材と正面側壁面材との突き合わせ部分において、採光や視界が桁等によって遮られるのを防ぐことができ、良好な採光や視界を得ることができる。
【００１３】
また、屋根から壁へ連続するフレームが、屋根面材や正面側壁面材よりも建物外方向へ突出して外側に露出するため、それらのフレームをルーバーの縦方向のフィンに見立てて、正面から見た組立建物の外観を、恰もルーバーのような外観にすることができる。
【００１４】
さらに、屋根面材の軒側端部が、正面側壁面材の上端部に被さっているため、組立建物内への雨水の侵入を防ぎつつ、屋根面材と正面側壁面材との間に隙間を設けて通気性を確保することが可能である。
【００１５】
さらにまた、正面側壁面材の外側に、アーチ状の受け部を備えた樋を設けることで、樋のデザイン性を高めて、組立建物全体の意匠性を向上させることができる。また、アーチ状の受け部には植栽の木の葉等が溜まりにくいため、樋の排水性を良好に維持することができる。
【発明を実施するための最良の形態】
【００１６】
以下、この発明の実施形態を図面に基づいて詳細に説明する。図１に示すように、この発明の一実施形態に係る組立建物であるサンルーム(１)は、例えば住宅(30)の外側に付属的に設けられている。このサンルーム(１)は、骨組(２)と、この骨組(２)に取り付けられた透光性を有する傾斜屋根面材(10)(10)…及び壁面材(11)〜(13)とからなる。
【００１７】
骨組(２)は、屋根面材(10)(10)…を支持する複数の屋根傾斜面に沿った屋根フレーム(３)(３)…と、屋根面材(10)(10)…の軒側に位置する正面側壁面材(11)(11)…を支持する複数の縦方向に沿った正面側壁フレーム(４)(４)…と、屋根面材(10)(10)…の側面側に位置する側面側壁面材(12)(13)…を支持する複数の側面側壁フレーム(５)(５)…とからなる。
【００１８】
屋根フレーム(３)(３)…は、その棟側端部が住宅(30)の外壁に固定され、その軒側端部が正面側壁フレーム(４)(４)…の上端部に連結されている。屋根フレーム(３)(３)…は、桁行方向に間隔を空けて互いに平行に配されている。また、屋根フレーム(３)(３)…の長さ方向中間部及び棟側端部には、図２及び図３に示すように、互いに隣接する屋根フレーム(３)(３)…間に、例えば鋼製の母屋材(８)(８)…が差し渡されている。
【００１９】
さらに、屋根フレーム(３)(３)…における建物内外方向の中間部に沿って、屋根面材(10)(10)…を固定するための例えば断面略コ字状の固定部材(16)(16)…が取り付けられている。
【００２０】
正面側壁フレーム(４)(４)…は、桁行方向に間隔を空けて互いに平行に配されている。正面側壁フレーム(４)(４)…の上端部には、互いに隣接する正面側壁フレーム(４)(４)…間に跨って、例えば金属製パイプからなる振れ止め(９)(９)…が差し渡されている。
【００２１】
また、正面側壁フレーム(４)(４)…における建物内外方向の中間部間に沿って、正面側壁面材(11)(11)…を固定するための上記と同様の固定部材(16)(16)…が取り付けられている。加えて、互いに隣接する正面側壁フレーム(４)(４)…の下端部間に跨って、正面側壁面材(11)(11)…の下端部を支持する支持部材(25)(25)…が設けられている。
【００２２】
さらに、側面側壁フレーム(５)(５)…は、縦方向のフレーム(５)(５)…と横方向のフレーム(５)とを組み付けて構成されている。なお、これら側面側壁フレーム(５)(５)…にも、側面側壁面材(12)(13)…を固定するための図示しない固定部材が、上記と同様に取り付けられている。
【００２３】
屋根面材(10)(10)…及び壁面材(11)〜(13)は、透明又は半透明の板材からなる。屋根面材(10)(10)…及び壁面材(11)〜(13)の具体的な素材としては、例えばポリカーボネイトが用いられるが、必ずしもこれに限られず、ガラスその他の素材を用いるようにしても良い。
【００２４】
屋根面材(10)(10)…は、図３に示すように、母屋材(８)(８)…の上に載置された状態で、屋根フレーム(３)(３)…における建物内外方向の中間部間に差し渡されて取り付けられている。屋根面材(10)(10)…の左右両端部は、図７に示すように、固定部材(16)(16)…に嵌め込まれて屋根フレーム(３)(３)…に固定されている。この取付け状態において、屋根フレーム(３)(３)…は、屋根面材(10)(10)…よりも建物外方向へ突出して外側に露出するようになっている。
【００２５】
屋根面材(10)(10)…の棟側端部には、図５に示すように、その横方向の全幅に亘って、屋根面材(10)(10)…の上面と建物本体(30)の外壁面とに跨って壁側水切り材(21)が取り付けられている。他方、屋根面材(10)(10)…の軒側端部には、図６に示すように、その横方向の全幅に亘って、軒側水切り材(22)(22)…が取り付けられている。
【００２６】
正面側壁面材(11)(11)…は、その下端部が支持部材(25)(25)…に支持された状態で、正面側壁フレーム(４)(４)…における建物内外方向の中間部間に差し渡されて取り付けられている。正面側壁面材(11)(11)…の左右両端部は、固定部材(16)(16)…に嵌め込まれて正面側壁フレーム(４)(４)…に固定されている。この取付け状態において、正面側壁フレーム(４)(４)…は、正面側壁面材(11)(11)…よりも建物外方向へ突出して外側に露出するようになっている。
【００２７】
屋根面材(10)(10)…と正面側壁面材(11)(11)…との突き合わせ部分においては、屋根面材(10)(10)…の軒側端部が、正面側壁面材(11)(11)…の上端部に被さった状態で、屋根面材(10)(10)…の軒側端部と正面側壁面材(11)(11)…の上端部とが、桁等の横架材を介することなく互いに近接している。すなわち、屋根面材(10)(10)…の軒側端部下面と、正面側壁面材(11)(11)…上端との間の隙間を通気用の出入り口として利用しても、屋根面材(10)(10)…上面より流れ落ちる水が、通気用の出入り口よりサンルーム(１)の内部に侵入するのを防止できるようになっている。
【００２８】
ただし、屋根面材(10)(10)…の軒側端部と正面側壁面材(11)(11)…の上端部との間には、必ずしも隙間を設ける必要はなく、屋根面材(10)(10)…の軒側端部と正面側壁面材(11)(11)…の上端部とを当接させるようにしても良い。
【００２９】
この取付け状態において、屋根面材(10)(10)…と正面側壁面材(11)(11)…との突き合わせ部分に桁等の横架材が設けられていないため、屋根面材(10)(10)…と正面側壁面材(11)(11)…とが仕切られることなく連続したような斬新な外観となっている。そして、屋根から壁へ連続する屋根フレーム(３)(３)…と正面側壁フレーム(４)(４)…とが外側に露出しているため、それらフレーム(３)(４)…をルーバーの縦方向のフィンに見立てることができ、正面から見立てたサンルーム(１)の外観が、恰もルーバーのような外観となっている。
【００３０】
また、サンルーム(１)の側面においては、側面側壁面材(12)(13)…が、側面側壁フレーム(５)(５)…に固定されて取り付けられている。なお、一部の側面側壁面材(13)は、開閉可能となっており、サンルーム(１)内と屋外との間で出入り可能となっている。
【００３１】
正面側壁面材(11)(11)…の外側には、屋根面材(10)(10)…から流れ落ちる雨水を受ける樋(26)(26)…が着脱可能に設けられている。それぞれの樋(26)は、図４に示すように、雨水を受ける横方向の受け部(27)と、その受け部(27)に連結されて受け部(27)からの雨水を下方に導く縦方向の導水部(28)(28)とを備えている。
【００３２】
樋(26)の受け部(27)は、図６に示すように、上向きに開放した断面略コ字形の溝状とされ、その上端開放部を塞ぐようにして、メッシュ状のカバー材(29)が着脱可能に設けられているため、受け部(27)の中に植栽の木の葉等が入り込みにくくなっている。また、受け部(27)は、その長さ方向の中間部が両端部よりも上方に位置する湾曲状に形成されているため、カバー材(29)の上面や受け部(27)の底面に木の葉等が溜まりにくくなっており、樋(26)の排水性が良好に維持できるようになっている。
【００３３】
樋(26)の導水部(28)(28)は、例えば断面略ロ字形とされている。そして、互いに隣接する正面側壁フレーム(４)(４)の側面にそれぞれ導水部(28)(28)が固定されることで、それら正面側壁フレーム(４)(４)間に跨って樋(26)が取り付けられている。
【００３４】
各樋(26)(26)…は、アーチ状の受け部(27)を備えているため、デザイン性が高められている。そして、かかる形状の樋(26)(26)…が横方向に沿って並べて設けられることで、意匠的に大きな印象を与えて、サンルーム(１)全体の意匠性を向上させている。
【００３５】
なお、この発明は、上記実施形態に限定されるものではなく、この発明の範囲内で上記実施形態に多くの修正及び変更を加え得ることは勿論である。例えば、この発明は、必ずしもサンルームに限られず、温室、サイクルポート又はカーポートその他の組立建物にも同様に適用することができる。
【図面の簡単な説明】
【００３６】
【図１】この発明の一実施形態に係るサンルームを示す斜視図である。
【図２】サンルームの骨組を示す平面図である。
【図３】サンルームを示す断面図である。
【図４】サンルームを示す正面図である。
【図５】サンルームの屋根の棟側部分を示す拡大断面図である。
【図６】サンルームの屋根の軒側部分を示す拡大断面図である。
【図７】屋根面材の左右両端部における固定部分を示す断面図である。
【符号の説明】
【００３７】
(１)  サンルーム(組立建物)
(２)  骨組
(３)  屋根フレーム
(４)  正面側壁フレーム
(10)  屋根面材
(11)  正面側壁面材
(26)  樋
(27)  樋の受け部
(28)  樋の導水部
【図１】
2006299589.tif 000003
【図２】
2006299589.tif 000004
【図３】
2006299589.tif 000005
【図４】
2006299589.tif 000006
【図５】
2006299589.tif 000007
【図６】
2006299589.tif 000008
【図７】
2006299589.tif 000009